(57)【要約】【課題】ねじ止め等によって固定することなく配設でき、不要なときに簡単に撤去できる段差昇降用手摺りを提供することである。【解決手段】手摺り本体１の下側に、段差部の上段側と下段側の各床面に垂下される脚柱２、３を有する立ち上り部４を設け、上段側の床面Ｆに壁Ｗと直角方向に延びるように載置される基板５を設けて、基板５を載置した床面Ｆに垂下される脚柱２を基板５に立設支持するとともに、壁Ｗに当接され、立ち上り部４を壁Ｗに突っ張り支持する突っ張りアーム６を設けることにより、ねじ止め等によって固定することなく配設でき、不要なときに簡単に撤去できるようにした。【選択図】図２
2009155951.tif 000002
【特許請求の範囲】
【請求項１】
建屋内の段差部に壁に沿わせて配設される段差昇降用手摺りにおいて、手摺り本体の下側に、前記段差部の上段側と下段側の各床面に垂下される脚柱を有する立ち上り部を設け、前記上段側または下段側の床面に前記壁と直角方向に延びるように載置される基板を設けて、この基板を載置した床面に垂下される方の脚柱を基板に立設支持するとともに、前記壁に当接され、前記立ち上り部を壁に突っ張り支持する突っ張り支持部を設けたことを特徴とする段差昇降用手摺り。
【請求項２】
前記基板を前記上段側の床面に載置するものとした請求項１に記載の段差昇降用手摺り。
【請求項３】
前記手摺り本体の両端部が、前記上段側と下段側の各床面に垂下される脚柱の上端で、前後へ突出しないようにした請求項１または２に記載の段差昇降用手摺り。
【請求項４】
前記脚柱を基板に立設支持する手段を、前記垂下される脚柱を基板の上面に設けた筒部に着脱可能に差し込むものとして、前記基板を１８０°回動させても差し込み可能とするとともに、前記突っ張り支持部を着脱可能として、前記立ち上り部に反対側へ向けて取り付け可能とした請求項１乃至３のいずれかに記載の段差昇降用手摺り。
【発明の詳細な説明】
【技術分野】
【０００１】
本発明は、建屋内の玄関等の段差部に壁に沿わせて配設される段差昇降用手摺りに関する。
【背景技術】
【０００２】
玄関等の段差部には、老人や身体障害者の昇り降りを介助するために、壁に沿わせて昇降用手摺りが配設されることがある（例えば、特許文献１、２参照）。特許文献１に記載されたものは、手摺り本体の下側に、上段側の上り框と下段側の玄関床に垂下される脚柱を設け、上り框に垂下される脚柱の下端にＬ字断面のブラケットを取り付けて、このブラケットを上り框にビス等で固定している。
【０００３】
また、特許文献２に記載されたものは、玄関床に据え置きする踏み台に下段側の固定手摺り枠の脚柱を取り付け、この固定手摺り枠と、固定手摺り枠に枢支連結した上段側の可動手摺り枠とを、水平なディスタンスアームを介して、玄関の壁面に皿ねじで固定している。
【０００４】
【特許文献１】特許第３１２１２７６号公報
【特許文献２】実用新案登録第３０７８２９４号公報
【発明の開示】
【発明が解決しようとする課題】
【０００５】
集会所等のように色々な人が集まる建屋や、一時的に老人や身体障害者が訪れる建屋の玄関等では、スペースを有効に活用するために、必要に応じて段差昇降用手摺りを配設し、不要なときに撤去することが望まれる。
【０００６】
特許文献１、２に記載された段差昇降用手摺りは、いずれも玄関に常設することを想定したものであり、特許文献１に記載されたものでは、ブラケットをビス等で上り框にねじ止め固定し、特許文献２に記載されたものでは、ディスタンスアームを皿ねじで玄関の壁面にねじ止め固定している。このため、上述したような集会所等の建屋の玄関に配設すると、不要なときに簡単に撤去することができない問題がある。また、撤去したとしても、上り框や玄関の壁面にねじ止め用のねじ穴の痕跡が残る問題がある。
【０００７】
そこで、本発明の課題は、ねじ止め等によって固定することなく配設でき、不要なときに簡単に撤去できる段差昇降用手摺りを提供することである。
【課題を解決するための手段】
【０００８】
上記の課題を解決するために、本発明は、建屋内の段差部に壁に沿わせて配設される段差昇降用手摺りにおいて、手摺り本体の下側に、前記段差部の上段側と下段側の各床面に垂下される脚柱を有する立ち上り部を設け、前記上段側または下段側の床面に前記壁と直角方向に延びるように載置される基板を設けて、この基板を載置した床面に垂下される方の脚柱を基板に立設支持するとともに、前記壁に当接され、前記立ち上り部を壁に突っ張り支持する突っ張り支持部を設けた構成を採用した。
【０００９】
すなわち、手摺り本体の下側に、段差部の上段側と下段側の各床面に垂下される脚柱を有する立ち上り部を設け、上段側または下段側の床面に壁と直角方向に延びるように載置される基板を設けて、この基板を載置した床面に垂下される方の脚柱を基板に立設支持するとともに、壁に当接され、立ち上り部を壁に突っ張り支持する突っ張り支持部を設けることにより、ねじ止め等によって固定することなく配設でき、不要なときに簡単に撤去できるようにした。
【００１０】
前記基板を前記上段側の床面に載置するものとすることにより、玄関の段差部に配設するときに、基板を上り框側に載置して、その汚れを防止することができる。
【００１１】
前記手摺り本体の両端部が、前記上段側と下段側の各床面に垂下される脚柱の上端で、前後へ突出しないようにすることにより、手摺り本体の両端部に袖等が引っ掛からないようにすることができる。
【００１２】
前記脚柱を基板に立設支持する手段を、前記垂下される脚柱を基板の上面に設けた筒部に着脱可能に差し込むものとして、前記基板を１８０°回動させても差し込み可能とするとともに、前記突っ張り支持部を着脱可能として、前記立ち上り部に反対側へ向けて取り付け可能とすることにより、手摺りを段差部の左右いずれの壁にも沿わせて配設することができる。
【発明の効果】
【００１３】
本発明の段差昇降用手摺りは、手摺り本体の下側に、段差部の上段側と下段側の各床面に垂下される脚柱を有する立ち上り部を設け、上段側または下段側の床面に壁と直角方向に延びるように載置される基板を設けて、この基板を載置した床面に垂下される方の脚柱を基板に立設支持するとともに、壁に当接され、立ち上り部を壁に突っ張り支持する突っ張り支持部を設けたので、ねじ止め等によって固定することなく配設でき、不要なときに簡単に撤去することができる。
【００１４】
前記基板を上段側の床面に載置するものとすることにより、玄関の段差部に配設するときに、基板を上り框側に載置して、その汚れを防止することができる。
【００１５】
前記手摺り本体の両端部が、上段側と下段側の各床面に垂下される脚柱の上端で、前後へ突出しないようにすることにより、手摺り本体の両端部に袖等が引っ掛からないようにすることができる。
【００１６】
前記脚柱を基板に立設支持する手段を、垂下される脚柱を基板の上面に設けた筒部に着脱可能に差し込むものとして、基板を１８０°回動させても差し込み可能とするとともに、突っ張り支持部を着脱可能として、立ち上り部に反対側へ向けて取り付け可能とすることにより、手摺りを段差部の左右いずれの壁にも沿わせて配設することができる。
【発明を実施するための最良の形態】
【００１７】
以下、図面に基づき、本発明の実施形態を説明する。この段差昇降用手摺りは、図１および図２に示すように、玄関の段差部の左側の壁Ｗに沿わせて配設される手摺り本体１と、段差部の上段側の上り框の床面Ｆと、下段側の玄関床Ｇとに垂下される脚柱２、３を有する立ち上り部４と、上り框の床面Ｆに壁Ｗと直角方向に延びるように載置され、床面Ｆに垂下される脚柱２を立設支持する矩形状の基板５と、壁Ｗに当接され、立ち上り部４を壁Ｗに突っ張り支持する突っ張り支持部としての２本の突っ張りアーム６とで構成されている。したがって、この段差昇降用手摺りは、ねじ止め等によって固定していないので、不要なときに簡単に撤去することができる。
【００１８】
前記手摺り本体１は、中央の傾斜部１ａと両端の水平部１ｂとからなり、各水平部１ｂの端部の下側に各脚柱２、３が取り付けられ、丸みを持たせた各水平部１ｂの端部が、袖等が引っ掛からないように、各脚柱２、３の上端で前後へ突出しないようになっている。また、立ち上り部４は、２本の脚柱２、３を上下２段の桟７で連結したものであり、上段側の桟７に、２本の突っ張りアーム６が取り付けられている。
【００１９】
図３（ａ）に示すように、前記基板５の上面には、丸パイプで形成された筒部材５ａが取り付けられ、同じく丸パイプで形成された脚柱２の先端の小径部２ａが着脱可能に差し込まれて、立設支持されている。基板５は金属板で形成され、上面にクッション用の布部材５ｂが貼付されるとともに、下面に滑り止め用のゴム部材５ｃが貼付されている。
【００２０】
前記脚柱２の小径部２ａには長手方向に延びる溝２ｂが設けられ、筒部材５ａのねじ孔５ｄに螺着された止めねじ２ｃを、六角レンチ等で溝２ｂの底に締め付けることにより、小径部２ａが筒部材５ａに抜け止めされるとともに、回り止めされるようになっている。溝２ｂは、後述するように、基板５を１８０°回動させたときも止めねじ２ｃを締め付け可能とするために、反対側にも設けられている。なお、脚柱２の小径部２ａと筒部材５ａは角パイプで形成することもでき、この場合は、回り止めを不要とすることができる。
【００２１】
図３（ｂ）に示すように、前記玄関床Ｇに垂下される脚柱３は、共に丸パイプで形成された親筒部材３ａに子筒部材３ｂをスライド自在に嵌挿したものであり、止めねじ３ｃで子筒部材３ｂを固定することにより、段差に応じて高さを調節可能とされている。玄関床Ｇに当接される子筒部材３ｂの下端には、ゴム製の緩衝キャップ３ｄが装着されている。
【００２２】
図４（ａ）、（ｂ）に示すように、前記突っ張りアーム６も、共に丸パイプで形成された親筒部材６ａに子筒部材６ｂをスライド自在に嵌挿したものであり、止めねじ６ｃで子筒部材６ｂを固定することにより、壁Ｗとの距離に応じて長さを調節可能とされ、壁Ｗに当接される子筒部材６ｂの先端には、ゴム製の緩衝キャップ６ｄが装着されている。また、突っ張りアーム６は、長円パイプで形成された上段側の桟７にねじ８で着脱可能に取り付けられている。
【００２３】
図５は、上述した段差昇降用手摺りを右壁段差部用のものとする手順を示す。図中に一点鎖線で示すように、脚柱２を基板５の筒部材５ａから抜き取って基板５を１８０°回動させ、脚柱２を筒部材５ａに差し込むとともに、各突っ張りアーム６を上段側の桟７から取り外して、反対側へ向けて取り付け直すことにより、図６に示すように、段差昇降用手摺りを右側に壁Ｗのある玄関の段差部に配設することができる。なお、この実施形態では、基板５の筒部材５ａと脚柱２の小径部２ａを丸パイプで形成したので、基板５をそのまま１８０°回動させてもよい。これらを角パイプで形成する場合は、図５に示したように、脚柱２を筒部材５ａから一端抜いて、基板５を１８０°回動させる必要がある。
【００２４】
上述した実施形態では、玄関の段差昇降用のものとし、上段側の床面に垂下される脚柱を基板に立設支持したが、本発明に係る段差昇降用手摺りは玄関の段差昇降用のものに限定されることはなく、建屋内の他の段差昇降用のものとすることもでき、下段側の床面に垂下される脚柱を基板に立設支持することもできる。
【００２５】
また、この段差昇降用手摺りは簡単に持ち運ぶことができ、段差や壁との距離に応じて、一方の脚柱の高さや突っ張りアームの長さを調節できるので、同じ建屋内や集会所等の他の建屋内の異なる段差部へ移動させて使用することもできる。
【図面の簡単な説明】
【００２６】
【図１】段差昇降用手摺りの実施形態を示す正面図
【図２】図１の段差昇降用手摺りを玄関の段差部の左側の壁に沿わせて配設した状態を示す外観斜視図
【図３】ａ、ｂは、それぞれ図１の上段側と下段側の脚柱を拡大して示す切欠き正面図
【図４】ａは図１のIVa−IVa線に沿った断面図、ｂはａの要部拡大断面図
【図５】図２の段差昇降用手摺りを右壁段差部用のものとする手順を示す斜視図
【図６】図１の段差昇降用手摺りを玄関の段差部の右側の壁に沿わせて配設した状態を示す外観斜視図
【符号の説明】
【００２７】
１  手摺り本体
１ａ  傾斜部
１ｂ  水平部
２  脚柱
２ａ  小径部
２ｂ  溝
２ｃ  止めねじ
３  脚柱
３ａ  親筒部材
３ｂ  子筒部材
３ｃ  止めねじ
３ｄ  緩衝キャップ
４  立ち上り部
５  基板
５ａ  筒部材
５ｂ  布部材
５ｃ  ゴム部材
５ｄ  ねじ孔
６  突っ張りアーム
６ａ  親筒部材
６ｂ  子筒部材
６ｃ  止めねじ
６ｄ  緩衝キャップ
７  桟
８  ねじ
【図１】
2009155951.tif 000003
【図２】
2009155951.tif 000004
【図３】
2009155951.tif 000005
【図４】
2009155951.tif 000006
【図５】
2009155951.tif 000007
【図６】
2009155951.tif 000008